(57)【要約】【課題】  何の駆動力も必要とせず、排水中の油分を効果的に分離することができる油水分離装置を得る。【解決手段】  油分を含む排水が一時的に貯留されて油水の分離が行われる分離槽と、この分離槽の上部に溜った浮遊油分を溢流する油分溢流部と、前記分離槽の中部または下部に形成された油分が分離された排水の排出管路と、この排出管路に連通して油分が分離された排水が溢流して排出される排水溢流部とを備え、前記油分溢流部と排水溢流部との高さを同等の高さ位置としたもの。【選択図】        図４
2006118342.tif 000002
【特許請求の範囲】
【請求項１】
排水導入管によって油分を含む排水が内部に導入されて油水の分離が行われる分離槽と、この分離槽の上部に溜った浮遊油分が溢流される油分溢流縁部と、前記分離槽の中部又は下部位置に一端の開口部を備え、油分が分離された排水を排出する排出管路と、この排出管路の他端部に形成され、油分を分離した排水が溢流・排出される排水溢流縁部とを備え、
前記油分溢流縁部と排水溢流縁部との高さを同等の高さ位置としたことを特徴とする油水分離装置。
【請求項２】
前記分離槽の油分溢流部を含む上部面面積が下部又は中部位置の面積よりも小さくなっていることを特徴とする請求項１に記載の油水分離装置。
【請求項３】
前記油分溢流縁部又は排水溢流縁部の高さ位置を微調整する高さ調整手段を備えたことを特徴とする請求項１又は２に記載の油水分離装置。
【請求項４】
前記分離槽へ導入する排水の導入量と導入圧とを予め定められた値に維持する排水導入安定化手段を前記排水導入管に備えたことを特徴とする請求項１〜３の何れか１項に記載の油水分離装置。
【請求項５】
前記排水導入安定化手段が、
前記油分を含む排水が先端部の導入排水溢流縁部に向けて送給される排水送給管と、
この排水送給管の導入排水溢流縁部の下位から分岐した前記排水導入管とを備え、
導入排水溢流縁部の高さが前記分離槽の油分溢流縁部と同等の高さ位置であることを特徴とする請求項４に記載の油水分離装置。
【請求項６】
前記導入排水溢流縁部の上端縁の高さ位置を微調整する高さ調整手段を更に備えたことを特徴とする請求項５に記載の油水分離装置。
【発明の詳細な説明】
【技術分野】
【０００１】
本発明は例えば業務用厨房等の排水から油脂分を分離する油水分離装置に関するものである。
【背景技術】
【０００２】
近年、飲食業（ホテルを含む）等の業務用厨房から排出される生活排水を下水道に排出する前に、排水中のゴミや油分を除去するための小型の排水浄化装置の設置が義務づけられている。この小型の排水浄化装置とは、所謂「グリーストラップ」と呼ばれるものであり、排水中のゴミや油分等の除去を行うものである。
【０００３】
図１５はグリーストラップの概要を示す説明図である。図に示す通り、排水は先ずゴミ受け篭１５１で大きなゴミが取り除かれる。ゴミを取り除かれた排水は第１のスライドゲート１５２の下方から浮上槽１５３に導かれる。
【０００４】
この浮上槽１５３で流入された排水の流れが緩やかになり、排水中の油分が浮遊油として浮上槽１５３の水面に浮かんでくる。第２のスライドゲート１５４の下方からＶノッチ１５５を介して下水道へ導かれる。
【０００５】
しかし、この装置は運転を続けていると、浮上槽の水面に、生活排水等に由来する油分が大量に溜り、嫌気性菌の繁殖による悪臭の発生や、大量に溜った油分が他の汚れ成分と結びついて油泥が形成され、次第にこれが蓄積されてきて、処理能力が低下すると言う問題があった。このため、定期的に油分や油泥をバキュームカー等により吸引除去する必要があった。
【０００６】
このため、本発明者は、浮上槽水面に浮遊する油分を回動するロールに付着させ、付着したロールの油分をスクレーパで掻き取るオイルスキマーを提案した（例えば、特許文献１参照）。このオイルスキマーは小型でグリーストラップ等の排水浄化装置内部に設置することができ、既設の排水浄化装置の殆ど全てのものに設置可能なものである。
【特許文献１】特開２０００−１５３２６９号公報
【発明の開示】
【発明が解決しようとする課題】
【０００７】
本発明者は、更に改良を検討して、本発明に至った。本発明は、例えば、既存のグリーストラップの代わりに設置するか、グリーストラップの上流に設置するだけで、何の駆動力も必要とせず、排水中の油分を効果的に分離することができる油水分離装置を得ることを目的とする。更に、安定した油水分離を行うことができる油水分離装置を得ることを目的とする。
【課題を解決するための手段】
【０００８】
請求項１に記載された発明に係る油水分離装置は、排水導入管によって油分を含む排水が内部に導入されて油水の分離が行われる分離槽と、この分離槽の上部に溜った浮遊油分が溢流される油分溢流縁部と、前記分離槽の中部又は下部位置に一端の開口部を備え、油分が分離された排水を排出する排出管路と、この排出管路の他端部に形成され、油分を分離した排水が溢流・排出される排水溢流縁部とを備え、
前記油分溢流縁部と排水溢流縁部との高さを同等の高さ位置としたことを特徴とするものである。
【０００９】
請求項２に記載された発明に係る油水分離装置は、請求項１に記載の分離槽の油分溢流部を含む上部面面積が下部又は中部位置の面積よりも小さくなっていることを特徴とするものである。
【００１０】
請求項３に記載された発明に係る油水分離装置は、請求項１又は２に記載の油分溢流縁部又は排水溢流縁部の高さ位置を微調整する高さ調整手段を備えたことを特徴とするものである。
【００１１】
請求項４に記載された発明に係る油水分離装置は、請求項１〜３の何れか１項に記載の分離槽へ導入する排水の導入量と導入圧とを予め定められた値に維持する排水導入安定化手段を前記排水導入管に備えたことを特徴とするものである。
【００１２】
請求項５に記載された発明に係る油水分離装置は、請求項４に記載の排水導入安定化手段が、
前記油分を含む排水が先端部の導入排水溢流縁部に向けて送給される排水送給管と、
この排水送給管の導入排水溢流縁部の下位から分岐した前記排水導入管とを備え、
導入排水溢流縁部の高さが前記分離槽の油分溢流縁部と同等の高さ位置であることを特徴とするものである。
【００１３】
請求項６に記載された発明に係る油水分離装置は、請求項５に記載の導入排水溢流縁部の上端縁の高さ位置を微調整する高さ調整手段を更に備えたことを特徴とするものである。
【発明の効果】
【００１４】
本発明は以上説明した通り、例えばグリーストラップの代わりに設置するか、グリーストラップの上流に設置するだけで、何の駆動力も必要とせず、排水中の油分を効果的に分離することができる油水分離装置を得ることができるという効果がある。更に、安定した油水分離を行うことができる油水分離装置を得ることができるという効果がある。
【発明を実施するための最良の形態】
【００１５】
本発明においては、排水導入管によって油分を含む排水が内部に導入されて油水の分離が行われる分離槽と、この分離槽の上部に溜った浮遊油分が溢流される油分溢流縁部と、前記分離槽の中部又は下部位置に一端の開口部を備え、油分が分離された排水を排出する排出管路と、この排出管路の他端部に形成され、油分を分離した排水が溢流・排出される排水溢流縁部とを備え、前記油分溢流縁部と排水溢流縁部との高さを同等の高さ位置としたものであるため、何の駆動力も必要とせず、油分を含んだ排水中の油分を効果的に分離することができる。
【００１６】
尚、本発明の油水分離装置では、油分を含んだ排水から油分を分離するため、既存のグリーストラップの代わりに設置するか、グリーストラップの上流に設置することは勿論のこと、機器の解体工場等から排出される油と水とを含んだ排水であって、油分を含んだまま下水道や河川に流せない排水であっても排水中の油分を効果的に分離することができる。また、既存のグリーストラップの清掃の際に生じる油分や油泥であっても本発明の油水分離装置に投入することにより、油水を分離することも可能である。更に、工作機械のクーラント液のように使用中に混入される油分を除去して再度これを利用しようとする液でも利用可能である。
【００１７】
具体的には、油と水との比重は油の方が小さいため、油は水に浮く。図１は油の浮遊状態を示す説明図である。図１に示す通り、Ｕ字管１１に水１２を入れて、一方の端部に油１３を入れて放置すると、両方の管で釣り合う。水面に対する油面の高さ位置は、油の厚さに応じて高くなるが、前述の通り、油の比重は水よりも小さいため、一方の油が浮遊している管での油面の高さ位置は、他方の水面の高さ位置よりも必ず若干高くなる。
【００１８】
従って、分離槽の上部に溜った浮遊油分を溢流する油分溢流縁部と、一端の開口部を分離槽の中部又は下部位置に設け、他端部を油分を分離した排水が溢流・排出される排水溢流縁部とした排出管路の排水溢流縁部とを、同等の高さ位置としたものであるため、排水が溢流する高さ位置であれば、油分が浮遊している油分溢水部では必ず油分が溢流することとなり、何の駆動力も必要とせず、排水中の油分を効果的に分離することができる。
【００１９】
本発明の油水分離装置は、鉱物油、植物油、動物油、その他、全ての水より軽い物質は水から比較すると８％〜１０％ほど軽い。例えば、油分の浮上速度は、毎秒１０ｍｍ〜３０ｍｍ以上である。浮上する０．２ｍｍ程度の粒子で毎秒３０ｍｍ以上の浮上速度がある。浮上速度が１０ｍｍの粒子は、微かに見える程度となる。下部より取り出す水量は浮上速度を下回ればよく、その場合の油分回収率は９９％以上となる。油分回収率を１００％にするには分離装置の分離槽を大きくし、排水の流入・流出に対して貯留時間を大きくすればよい。
【００２０】
本発明の分離槽は、油分を含む排水が一時的に貯留されて油水の分離が行われるものであれば形状・材質等は問わない。従って、大量の排水を処理する場合は、分離槽の油分溢流縁部を含む上部断面積が下部又は中部断面積と同じかそれよりも大きいものでも良い。好ましい態様としては、分離槽の油分溢流縁部を含む上部断面積が下部又は中部断面積よりも小さくなっているものでは、少量の油分でも油層の厚みが増し、油分溢流縁部からの油分の分離能が向上する。
【００２１】
本発明の油分溢流縁部は、分離槽の上部に溜った浮遊油分を溢流するものであればよい。例えば、分離槽を構成する側壁面の全周に亘って同じ高さとして側壁面の全周を溢流縁部とし、側壁面の周囲を溢流してきた油分を受け止める樋状の受けを全周に亘って１カ所に傾斜させて溢流した油分を一時的に貯留する油分貯留手段を更に形成して油分を１カ所に集めるものや、分離槽の側壁面の一部の上端高さ位置を低くして溢流縁部とし、溢流してきた油分を受け止める樋状の受けをその溢流縁部の下方に傾けて溢流した油分を一時的に貯留する油分貯留手段を更に形成して油分を１カ所に集めるもの、分離槽の側壁面の一部の上端縁部をＶ字状に切欠いたＶノッチを溢流縁部として溢流した油分を一時的に貯留する受部を設置するもの等、種々の形態を採用することができる。
【００２２】
本発明の排水溢流縁部は、分離槽の中部または下部から排出管路を介して引出された排水を溢流して排出するものであればよい。従って、この排水溢流縁部についても油分溢流縁部と同様に、排出管路の全周に亘った溢流縁部、排出管路の一部を溢流縁部としたもの、一部をＶ字に切欠いたＶノッチを溢流縁部としたもの等、種々の形態を採用することができる。
【００２３】
前述の通り、水面に対する油面の高さ位置は、油の厚さに応じて高くなる。このため、油分溢流縁部と排水溢流縁部との高さを同等の高さ位置としているが、より好ましくは、各々の油分溢流縁部又は排水溢流縁部の高さ位置を微調整する高さ調整手段を備える。例えば、溢流縁部を構成する壁面にスライド式の板を設置することで高さ位置を調整するものが挙げられる。
【００２４】
油分溢流縁部と排水溢流縁部との高さを全く同一の高さ位置としても、排水中に油分が含まれ、分離槽で油水が分離して油分が浮遊している状態であるならば、油分溢流縁部からは油分のみが溢水する。しかしながら、油分溢流縁部と排水溢流縁部との高さを全く同一の高さ位置にすると、排水中に油分が含まれない場合や、排水の分離槽への流入量を大きくした場合などには、油分溢流縁部から排水が溢水する場合が想定される。従って、油分溢流縁部からの油分のみの確実な溢流を行うには、油分溢流縁部の高さ位置を数ｍｍ〜十数ｍｍ高くする。
【００２５】
例えば、油分溢流縁部の高さ位置が１０ｍｍ程度高くすると、この油分溢流縁部を越えて油分が溢流するためには、８％〜１０％ほど油分の方が比重が小さいため、分離槽に浮遊する油分層の厚みが１００ｍｍ前後必要となる。この程度の厚さの油分層があれば、分離槽に流入する排水の流入量が多くても、油分層を越えて排水が油分溢流縁部を越えることはまず無く、溢流する油分に水が混じることもまず無い。
【００２６】
本発明の排水導入管としては、分離槽内部に油分を含む排水を導入するものであればよいが、導入される排水の導入量及び導入圧力が一定していない場合には、分離槽内部での油水の分離が安定しない場合があった。そこで、好ましい態様としては、分離槽へ導入する排水の導入量と導入圧とを予め定められた値に維持する排水導入安定化手段を排水導入管に備える。これにより、安定した油水分離を行うことができる油水分離装置を得ることができる。
【００２７】
本発明の排水導入安定化手段としては、汲上げポンプで排水導入管を介して分離槽に排水を導入するのであれば、汲上げポンプ自体を定容量ポンプとして、一定の導入流量及び導入圧力で導入すればよいが、一般的な汲上げポンプでは、一定の導入流量及び導入圧力で導入することは難しい。例えば、排水を貯留している貯留槽から分離槽へ汲上げポンプによって汲上げると汲上げに応じて貯留槽の排水水面が低くなるため、同じ出力で汲上げポンプを駆動させたとしても汲上げ高さが相違することになり、導入流量及び導入圧力が相違することとなるためである。
【００２８】
そこで、好ましい態様としては、排水導入安定化手段が、油分を含む排水が先端部の導入排水溢流縁部に向けて送給される導入排水管と、この排水送給管の導入排水溢流縁部の下位から分岐した排水導入管とを備え、導入排水溢流縁部の高さが分離槽の油分溢流縁部と同等の高さ位置であるものが挙げられる。これにより、一般的な汲上げポンプによって油分を含む排水を分離槽へ導入させたとしても、一定の導入流量及び導入圧力で導入することができる。
【００２９】
即ち、先端部の導入排水溢流縁部に向けて送給される排水送給管によって油分を含む排水が送給される場合、常に導入排水溢流縁部で排水が溢流するため、その導入排水溢流縁部の下位から分岐した排水導入管には常に一定のヘッド圧であり、一定の導入量の排水が分離槽に流れるからである。
【００３０】
以上のように、本発明の油水分離装置によって分離された油分は、排水から分離して水面上に浮かんで油分溢流縁部から溢流するため、実質的に水分を含まない。従って、廃油として処理が可能となる。例えば、廃油専用ボイラー、廃油ストーブ等の燃料として利用したり、吸油性の紙等の物質に吸わせた状態で可燃性ゴミとして焼却したり、薬品等で固めて可燃ゴミとして焼却することが可能となる。このために、好ましい態様としては、溢流した油分を一時的に貯留する油分貯留手段を更に備える。油分貯留手段としては、分離槽に付設させた貯留槽であっても良く、分離可能な貯留容器であっても良い。貯留槽に溜った油分は柄杓等で汲み取っても良い。
【実施例】
【００３１】
実施例１
図２は本発明の油水分離装置の一実施例の構成を示す正面図であり、図３は図２の平面図であり、図４は図２の側方断面図である。図に示す通り、本実施例の油水分離装置２０は、大きく分離槽２１と排水受槽２２とに分かれる。分離槽２１には逆止弁２４を備えた排水導入管２３によって図示しないポンプや自重によって油分を含む排水が導入され、排水管路２５によって分離槽２１の下方から油分が分離された排水が抜かれて排水受槽２２に至り、排水受槽２２の下方の排出口２６から下水等に導かれる。
【００３２】
排水導入管２３は十字に組まれた排水導入ノズル２７に多数穿設されたノズル孔２８から分離槽２１内に排水が導入される。この多数のノズル孔２８を介して導入されるため、大量に排水が導入されても緩やかな流れとなり、排水中の油分が良好に上方に浮かび上がって分離される。
【００３３】
分離槽２１の下方には、油分を含まない排水が導出する広く口を下向きに開けた導出口２９を備えた排水管路２５が設置されており、排水管路２５は分離槽２１の側壁を貫通して隣の排水受槽２２に至る。排水管路２５の開放端３０は排水受槽２２内で立上り、端縁部に開放高さ位置調整のためのスライド管（高さ調整手段）３１が配されている。排水溢流縁部としてのスライド管３１を超えて溢流した油分を含まない排水は排水受槽２２の下方の排出口２６から下水等に導かれる。
【００３４】
分離槽２１の上部の液面には導入された排水中の油分が上方に浮かび上がった油層３２が形成される。分離槽２１の上部は排水の流入側の壁面が他の側壁面より低くなっており溢流壁面３３となっている。即ち、浮遊された油分が溢流する油分溢流縁部として機能する。この溢流壁面３３の外方の下方には、油受け樋３４が溢流壁面３３の全幅に亘って形成され、溢流された油分を低位側の油分排出口３５から図示しない油回収容器へ排出される。
【００３５】
本実施例の油水分離装置は、油分溢流縁部としての溢流壁面３３の高さ位置と、排水溢流縁部としてのスライド管３１との高さを同等の高さ位置としている。排水と油層３２を構成する油分とは油分の方が比重が小さいため、油層３２の油面の方がスライド管３１の高さ位置よりも高くなる。このため、油層３２を構成する油分が溢流側壁３３を超えて溢流し、油受け樋３４で受けられ、油分排出口３５から油回収容器に排出される。
【００３６】
実施例２
図５は本発明の油水分離装置の別の実施例の構成を示す正面図であり、図６は図５の平面図であり、図７は図５の側方断面図である。図に示す通り、本実施例の油水分離装置５０は、大きく分離槽５１と排水受槽５２とに分かれる。分離槽５１には逆止弁５４を備えた排水導入管５３によって図示しないポンプや自重によって油分を含む排水が導入され、排水管路５５によって分離槽５１の下方から油分が分離された排水が抜かれて排水受槽５２に至り、排水受槽５２の下方の排出口５６から下水等に導かれる。
【００３７】
排水導入管５３は迂回路を形成する流入側側壁に沿った立ち上がり片５７とこの立ち上がり片５７に形成された枝片５８によって流れを緩やかにされつつ分離槽５１内に排水が導入される。これら迂回路により、大量に排水が導入されても緩やかな流れとなり、排水中の油分が良好に上方に浮かび上がって分離される。
【００３８】
分離槽５１の下方には、油分を含まない排水が導出する導出口５９を備えた排水管路５５が設置されており、この導出口５９は、広く口を下向きに開けている。排水管路５５は分離槽５１の側壁を貫通して隣の排水受槽５２に至る。排水管路５５の開放端６０は排水受槽５２内で立上り、端縁部に開放高さ位置調整のためのスライド管（高さ調整手段）６１が配されている。排水溢流縁部としてのスライド管６１を超えて溢流した油分を含まない排水は排水受槽５２の下方の排出口５６から下水等に導かれる。
【００３９】
分離槽５１の上部の液面には導入された排水中の油分が上方に浮かび上がった油層６２が形成される。分離槽５１と排水受槽５２との間には、油受け樋６４が設置されており、分離槽５１に対向する側の壁面６３が分離槽５１の他の壁面より低くなっており溢流壁面６３となっている。即ち、浮遊された油分が溢流する油分溢流縁部として機能する。油受け樋６４は溢流壁面６３の全幅に亘って斜めに形成され、溢流された油分を低位側の油分排出口６５から図示しない油回収容器へ排出される。
【００４０】
本実施例の油水分離装置では、油分溢流縁部としての溢流壁面６３の高さ位置と、排水溢流縁部としてのスライド管６１との高さを同等の高さ位置としている。排水と油層６２を構成する油分とは油分の方が比重が小さいため、油層６２の油面の方がスライド管６１の高さ位置よりも高くなる。このため、油層６２を構成する油分が壁面６３を超えて溢流し、油受け樋６４で受けられ、油分排出口６５から油回収容器に排出される。
【００４１】
実施例３
図８は本発明の油水分離装置の別の実施例の構成を示す説明図であり、図９は図８の平面図であり、図１０は図８の側方断面図である。図に示す通り、本実施例の油水分離装置８０は、大きく分離槽８１と排水受槽８２とに分かれる。分離槽８１には逆止弁８４を備えた排水導入管８３によって図示しないポンプや自重によって油分を含む排水が導入され、排水管路８５によって分離槽８１の下方から油分が分離された排水が抜かれて排水受槽８２に至り、排水受槽８２の下方の排出口８６から下水等に導かれる。
【００４２】
排水導入管８３は十字に組まれた排水導入ノズル８７に多数穿設されたノズル孔８８から分離槽８１内に排水が導入される。この多数のノズル孔８８を介して導入されるため、大量に排水が導入されても緩やかな流れとなり、排水中の油分が良好に上方に浮かび上がって分離される。
【００４３】
分離槽８１の下方には、油分を含まない排水が導出する広く口を下向きに開けた導出口８９を備えた排水管路８５が設置されており、排水管路８５は分離槽８１の側壁を貫通して隣の排水受槽８２に至る。排水管路８５の開放端９０は排水受槽８２内で立上り、端縁部に開放高さ位置調整のためのスライド管（高さ調整手段）９１が配されている。排水溢流縁部としてのスライド管９１を超えて溢流した油分を含まない排水は排水受槽８２の下方の排出口８６から下水等に導かれる。
【００４４】
分離槽８１の液面には導入された排水中の油分が上方に浮かび上がった油層９２が形成される。分離槽８１の中部から上部にかけて分離槽８１の四方の側壁が狭まり、上部断面積が下部又は中部断面積よりも小さくなっている。このため、少量の油分でも油層の厚みが増し、油分溢流縁部からの油分の分離能が向上する。狭まった分離槽８１の上部は排水の流入側壁面が他の側壁面より低くなっており溢流壁面９３となっている。即ち、浮遊された油分が溢流する油分溢流縁部として機能する。溢流壁面９３の外方の下方には、油受け樋９４が溢流壁面３３の全幅に亘って形成され、溢流された油分を低位側の油分排出口９５から図示しない油回収容器へ排出される。
【００４５】
本実施例の油水分離装置では、油分溢流縁部としての溢流壁面９３の高さ位置と、排水溢流縁部としてのスライド管９１との高さを同等の高さ位置としている。排水と油層９２を構成する油分とは油分の方が比重が小さいため、油層９２の油面の方がスライド管９１の高さ位置よりも高くなる。このため、油層９２を構成する油分が溢流壁面９３を超えて溢流し、油受け樋９４で受けられ、油分排出口９５から油回収容器に排出される。
【００４６】
実施例４
図１１は本発明の油水分離装置の別の実施例の構成の説明図であり、図１２は図１１の導入部の断面図であり、図１３は図１１の側面図であり、図１４は図１１のＡＡ断面図である。図に示す通り、本実施例の油水分離装置１１０は、大きく分離槽１１１と排水受槽１１２と導入槽１２６に分かれる。油分を含む排水が貯留されている貯留槽１２７内部に配設された汲上げポンプ１２８によって汲上げられて排水が排水導入安定化手段を経て分離槽１１１に導入される。
【００４７】
本実施例の排水導入安定化手段としては、汲上げポンプ１２８によって油分を含む排水が先端部の導入排水溢流縁部１３０に向けて送給される排水送給管１２９と、この排水送給管１２９の導入排水溢流縁部１３０の下位から分岐して分離槽１１１に排水を送給する排水導入管１１３とからなる。排水導入管１１３には逆止弁１１４が備わり、分離槽１１１に油分を含む排水が導入される。尚、排水送給管１２９の導入排水溢流縁部１３０は導入槽１２６内に設けられている。この導入排水溢流縁部１３０の高さは分離槽１１１の保持水位と同等の高さ位置としており、端縁部に開放高さ位置調整のためのスライド管（高さ調整手段）１３１が配されている。
【００４８】
このような構成の排水導入安定化手段により、導入排水溢流縁部１３０に向けて油分を含む排水が送給される場合に、常に導入排水溢流縁部１３０で排水が溢流するため、その導入排水溢流縁部１３０の下位から分岐した排水導入管１１３には常に一定のヘッド圧であり、一定の導入量の排水が分離槽１１１に流れ、安定した油水分離を行うことができる。導入排水溢流縁部１３０で溢流した排水は導入槽１２６の下部に配された戻し配管１３２によって貯留槽１２７に戻される。
【００４９】
排水導入管１１３は分離槽１１１の側壁を貫通して分離槽１１１の下部に導入され、迂回路を形成する流入側側壁に沿った立ち上がり片１１７とこの立ち上がり片５７に斜めに形成された傾斜片１１８によって流れを緩やかにされつつ分離槽１１１内に排水が導入される。これら迂回路により、排水が緩やかな流れとなり、排水中の油分が良好に上方に浮かび上がって分離される。
【００５０】
分離槽１１１の下方には、油分を含まない排水が導出する導出口１１９を備えた排水管路１１５が設置されており、排水管路１１５は分離槽１１１の側壁を貫通して隣の排水受槽１１２に至る。排水管路１１５の開放端１１０は排水受槽１１２内で立上り、端縁部に開放高さ位置調整のためのスライド管（高さ調整手段）１２１が配されている。排水溢流縁部としてのスライド管１２１を超えて溢流した油分を含まない排水は排水受槽１１２の下方の排出口１１６から下水等に導かれる。
【００５１】
分離槽１１１の上部の液面には導入された排水中の油分が上方に浮かび上がった油層１２２が形成される。分離槽１１１の排水受槽１１２及び導入槽１２６との対向壁には、油受け樋１２４が設置されており、この油受け桶１２４が設置された分離槽１１１の壁面１２３が分離槽１１１の他の壁面より低くなっており溢流壁面１２３となり、浮遊された油分が溢流する油分溢流縁部として機能する。油受け樋１２４は溢流壁面１２３の全幅に亘って斜めに形成され、溢流された油分を低位側の油分排出口１２５から図示しない油回収容器へ排出される。
【００５２】
本実施例の油水分離装置では、導入排水溢流縁部１３０の高さ位置と、油分溢流縁部としての溢流壁面１２３の高さ位置と、排水溢流縁部としてのスライド管１２１との高さを同等の高さ位置としている。排水と油層１２２を構成する油分とは油分の方が比重が小さいため、油層１２２の油面の方がスライド管１２１の高さ位置よりも高くなる。このため、油層１２２を構成する油分が壁面１２３を超えて溢流し、油受け樋１２４で受けられ、油分排出口１２５から油回収容器に排出される。
【００５３】
尚、実施例１に示した装置は、分離槽が約Ｈ２９０×Ｗ５００×Ｌ３００の大きさであり、処理量は５０リットル／ｍｉｎ（３ｍ３／Ｈ）の排水でも可能であった。実施例２に示した装置は、分離槽が約Ｈ７００×Ｗ４５０×Ｌ４５０の大きさであり、処理量は７０リットル／ｍｉｎ（４．５ｍ３／Ｈ）の排水でも可能であった。実施例３及び４に示した装置は、分離槽が約Ｈ７００×Ｗ５００×Ｌ５００の大きさであり、処理量１００リットル／ｍｉｎ（６ｍ３／Ｈ）の排水でも分離可能であった。尚、処理量は通常時問で表示した。
【００５４】
以上のように、本発明の油水分離装置は、油を含む自動車産業・機械加工業・精密機器製造業の洗浄廃液や、その他、油を含む食品加工業・魚肉加工業・飲食業・ホテル業の排液を始めとして、グリストラップの設置が義務付けられている食品フーズ及び飲食業におけるグリストラップの上流やグリストラップの代わりとしても用いることができる。また、清掃業（バキューム）やガソリンスタンドの排水ピット等、あらゆる油分回収に応用することが可能である。
【図面の簡単な説明】
【００５５】
【図１】油の浮遊状態を示す説明図である。
【図２】本発明の油水分離装置の一実施例の構成を示す正面図である。
【図３】図２の平面図である。
【図４】図２の側方断面図である。
【図５】本発明の油水分離装置の別の実施例の構成を示す正面図である。
【図６】図５の平面図である。
【図７】図５の側方断面図である。
【図８】本発明の油水分離装置の別の実施例の構成を示す説明図である。
【図９】図８の平面図である。
【図１０】図８の側方断面図である。
【図１１】本発明の油水分離装置の別の実施例の構成を示す説明図である。
【図１２】図１１の側面図である。
【図１３】図１１の平面図である。
【図１４】図１３のＡＡ断面図である。
【図１５】グリーストラップの概要を示す説明図である。
【符号の説明】
【００５６】
１１      …Ｕ字管、
１２      …水、
１３      …油、
２０、５０、８０、１１０…油水分離装置、
２１、５１、８１、１１１…分離槽、
２２、５２、８２、１１２…排水受槽、
２３、５３、８３、１１３…排水導入管、
２４、５４、８４、１１４…逆止弁、
２５、５５、８５、１１５…排水管路、
２６、５６、８６、１１６…排出口、
２７、      ８７        …排水導入ノズル、
５７      、１１７…立ち上がり片、
２８、      ８８        …ノズル孔、
５８              …枝片、
１１８…傾斜片、
２９、５９、８９、１１９…導出口、
３０、６０、９０、１２０…開放端、
３１、６１、９１、１２１…スライド管、
３２、６２、９２、１２２…油層、
３３、６３、９３、１２３…溢流壁面、
３４、６４、９４、１２４…油受け樋、
３５、６５、９５、１２５…油分排出口、
１２６…導入槽、
１２７…貯留槽、
１２８…汲上げポンプ、
１２９…排水送給管、
１３０…導入排水溢流縁部、
１３１…スライド管（高さ調整手段）、
１３２…戻し配管、
【図１】
2006118342.tif 000003
【図２】
2006118342.tif 000004
【図３】
2006118342.tif 000005
【図４】
2006118342.tif 000006
【図５】
2006118342.tif 000007
【図６】
2006118342.tif 000008
【図７】
2006118342.tif 000009
【図８】
2006118342.tif 000010
【図９】
2006118342.tif 000011
【図１０】
2006118342.tif 000012
【図１１】
2006118342.tif 000013
【図１２】
2006118342.tif 000014
【図１３】
2006118342.tif 000015
【図１４】
2006118342.tif 000016
【図１５】
2006118342.tif 000017